(57)【要約】【課題】法面や平坦な地面において芝などの植物を確実に植生させることが可能な植栽基盤シート・マットを提供すること。【解決手段】多孔質構造体２に充填材４を充填して形成される植栽基盤シート・マット１であって、該充填材４は、土砂、肥料、炭片のうちの１種類又はそれらを組み合わせたものが含まれてなり、固相率が８０％以下になるように該多孔質構造体２の空隙部３に粒径調整した該充填材４を充填して形成された植栽基盤シート・マット。【効果】このような植栽基盤シート・マットを形成することにより、造成地や河川堤防の法面等の斜面を確実に保護することができ、平坦な地面や岩盤の緑化を確実に行うことができる。【選択図】　図１
2004089038.tif 000002
【特許請求の範囲】
【請求項１】
多孔質構造体に充填材を充填して形成される植栽基盤シート・マットであって、該充填材は、土砂、肥料、炭片のうちの１種類又はそれらを組み合わせたものが含まれてなり、固相率が８０％以下になるように該多孔質構造体の空隙部に粒径調整した該充填材を充填して形成されたことを特徴とする植栽基盤シート・マット。
【請求項２】
前記植栽基盤シート・マットは、植物が植生されていることを特徴とする請求項１記載の植栽基盤シート・マット。
【請求項３】
前記植物は、芝であることを特徴とする請求項２記載の植栽基盤シート・マット。
【請求項４】
前記植栽基盤シート・マットは、ロール状に丸めて搬送することができるものであることを特徴とする請求項２又は３のいずれか１記載の植栽基盤シート・マット。
【請求項５】
前記植栽基盤シート・マットは、複数の植栽基盤シート・マットを突合せ状態に敷設した際、１つの植栽基盤シート・マットの植物の茎又は根が突合せ部を越えて他の植栽基盤シート・マットに進入し、該他の植栽基盤シート・マットの多孔質構造体や他の植物の茎又は根に絡み付くことで該複数の植栽基盤シート・マットが１枚のシート状になっていることを特徴とする請求項２乃至４のいずれか１記載の植栽基盤シート・マット。
【請求項６】
前記植栽基盤シート・マットは、複数の植栽基盤シート・マットを重ね合わせ状態に敷設した際、１つの植栽基盤シート・マットの植物の茎又は根が重ね合わせ部を越えて他の植栽基盤シート・マットに進入し、該他の植栽基盤シート・マットの多孔質構造体や他の植物の茎又は根に絡み付くことで該複数の植栽基盤シート・マットが１枚のシート状になっていることを特徴とする請求項２乃至４のいずれか１記載の植栽基盤シート・マット。
【請求項７】
前記植栽基盤シート・マットを用いた請求項２乃至６のいずれか１記載の斜面保護工法。
【請求項８】
前記植栽基盤シート・マットを用いた請求項２乃至６のいずれか１記載の張芝工法。
【発明の詳細な説明】
【０００１】
【発明の属する技術分野】
本発明は、植栽基盤シート・マット及びそれを用いた斜面保護方法及び張芝方法に関し、更に詳しくは、植物を確実に植生させることができる植栽基盤シート・マット、及びそれを用いた斜面保護方法及び張芝方法に関する。
【０００２】
【従来の技術】
造成地や道路建設等のための盛土は、雨水等による土壌の流出や侵食を防止するため、通常、その法面に芝などの植物を植生させる。
そして、より確実に法面を侵食から保護し、植生の促進を図るために、培養土や植物の種子等を詰めた植生土嚢を法面に沿って積み上げることもある。
【０００３】
植生土嚢は、植物の発芽の障害とならないように、破断強度がさほど強くない不織布等で作られることが多い。
そのため、何らかの外力が加わると簡単に破れ、中身が流出して土嚢の積み上げが崩れたり、土嚢が崩れたところから雨水等が浸入して法面が侵食されてしまうことがあった。
【０００４】
一方、同じく法面を保護するものとしては、河川堤防におけるコンクリート護岸が知られ、この場合は、コンクリートブロック等を河川堤防の法面に敷き詰めて法面を河川の流水による侵食から守る。
しかし、コンクリート護岸の建設には、膨大な工事費用が掛かるうえ、コンクリート護岸により河川水域の生態系や景観が破壊される等の弊害もあった。
【０００５】
そこで、近年、こうした植生土嚢やコンクリートブロックに代わるものとして、種々のシートやマット等（シート・マット）が開発されている。
シート・マットを法面に敷設することで、法面を雨水や河川の流水等による浸食から保護するのである。
【０００６】
こうしたシート・マットは、天然繊維や合成繊維を糸状に形成して絡ませたり、ネット状やテープ状等に形成された合成繊維製の多孔質構造体であることが多い（例えば特開２００１−２３４５４０号公報等参照）。
こうしたタイプのシート・マットは、通常、その空隙部に土砂を充填し（特開２００１−２３４５２０号公報参照）、或いは更にその上に客土して、そこに植物を植生させて使用される。
【０００７】
しかし、実際には、こうしたシート・マットを造成地や河川堤防等の法面に敷設しても、そうした法面の保護が必ずしも十分に行えない。
例えば、土砂を充填したシート・マットに芝の種子をまいたり芝を移植したりしても、芝が十分に根付かずに枯れてしまったり、河川の流水等の外力で芝がめくれあがったりする。
【０００８】
また、この方法においては、土砂を充填する際には、シート・マットを法面等に敷設した後、このシート・マットに、水と攪拌して泥状の土砂を吹き付けて充填する。
しかし、造成地等の法面が急勾配である場合には、法面に敷設したシート・マットにこのような泥状の土砂を充填しようとしても、土砂が流れ落ちたり下方で溜まって溢れ出すなどして、充填作業が非常に困難になる等の問題がある。
【０００９】
これまでのシート・マットやそれを用いた法面等の保護方法に対する開発は、主として、土砂を充填し易くするためのシート・マットの構成部材の改良や、流水のエネルギーを低減させて侵食防止効果を向上させるためのシート・マット自体の構造の改良といった観点から進められてきた。
【００１０】
しかし、確実な法面等の保護を図るのであれば、今後は、芝などの植物をいかにして確実に法面等で植生させるかという観点が必要である。
例えば、シート・マットに植生させた植物が簡単に抜けたり芝がめくれ上がるようでは、外観的にも見苦しく、また、その上を歩く人にとっては引っ掛かり易く危険である。
【００１１】
【発明が解決しようとする課題】
本発明は、かかる実状を背景に、上記の問題点を克服するためになされたものである。
すなわち、法面や平坦な地面において芝などの植物を確実に植生させることが可能な植栽基盤シート・マットを提供することである。
また、そうした植栽基盤シート・マットを用いて造成地や河川堤防の法面等の斜面を確実に保護する斜面保護方法、及び緑化に使用することができる張芝方法を提供することである。
【００１２】
【課題を解決するための手段】
かくして、本発明者は、このような課題背景に対して、鋭意研究を重ねた結果、多孔質構造体に土砂を充填する際に、土砂を目一杯に充填するのではなく、多孔質構造体自体を含む固相率が８０％以下になるように土砂を充填すると植物の根付きが非常に良くなること、更に予め土砂を充填し植物を植生させた植栽基盤シート・マットを形成することにより、植物を枯らすことなくより確実に根付かせることができることを見出し、この知見に基づいて本発明を完成させたものである。
【００１３】
即ち、本発明は、（１）、多孔質構造体に充填材を充填して形成される植栽基盤シート・マットであって、該充填材は、土砂、肥料、炭片のうちの１種類又はそれらを組み合わせたものが含まれてなり、固相率が８０％以下になるように該多孔質構造体の空隙部に粒径調整した該充填材を充填して形成された植栽基盤シート・マットに存する。
【００１４】
そして、（２）、前記植栽基盤シート・マットは、植物が植生されている植栽基盤シート・マットに存する。
【００１５】
そしてまた、（３）、前記植物は、芝である植栽基盤シート・マットに存する。
【００１６】
そしてまた、（４）、前記植栽基盤シート・マットは、ロール状に丸めて搬送することができるものである植栽基盤シート・マットに存する。
【００１７】
そしてまた、（５）、前記植栽基盤シート・マットは、複数の植栽基盤シート・マットを突合せ状態に敷設した際、１つの植栽基盤シート・マットの植物の茎又は根が突合せ部を越えて他の植栽基盤シート・マットに進入し、該他の植栽基盤シート・マットの多孔質構造体や他の植物の茎又は根に絡み付くことで該複数の植栽基盤シート・マットが１枚のシート状になっている植栽基盤シート・マットに存する。
【００１８】
そしてまた、（６）、前記植栽基盤シート・マットは、複数の植栽基盤シート・マットを重ね合わせ状態に敷設した際、１つの植栽基盤シート・マットの植物の茎又は根が重ね合わせ部を越えて他の植栽基盤シート・マットに進入し、該他の植栽基盤シート・マットの多孔質構造体や他の植物の茎又は根に絡み付くことで該複数の植栽基盤シート・マットが１枚のシート状になっている植栽基盤シート・マットに存する。
【００１９】
そしてまた、（７）、前記植栽基盤シート・マットを用いた（２）乃至（６）のいずれか１記載の斜面保護工法に存する。
【００２０】
そしてまた、（８）、前記植栽基盤シート・マットを用いた（２）乃至（６）のいずれか１記載の張芝工法に存する。
【００２１】
本発明はこの目的に沿ったものであれば、上記１〜８の中から選ばれた２つ以上を組み合わせた構成も当然採用可能である。
【００２２】
【発明の実施の形態】
以下、図面に基づいて、本発明の植栽基盤シート・マット、及びそれを用いた斜面保護方法及び張芝方法について述べる。
まず、本発明の植栽基盤シート・マットについて述べる。
図１は、本発明の植栽基盤シート・マットの構成例を模式的に説明する図である。
【００２３】
本発明の植栽基盤シート・マット１は、多孔質構造体２の空隙部３に、土砂、肥料、炭片のうちの１種類又はそれらを組み合わせたものが含まれてなる充填材４を、粒径調整して充填することにより形成される。
その際、固相率が８０％以下になるように、多孔質構造体２の空隙部３に充填材４を充填する。
【００２４】
ここで、固相率とは、図１に示す植栽基盤シート・マット内の３相、即ち気相（空気）、液相（水）、固相（固形部分）のうち、固相の占める体積の割合のことである。
従って、固相という概念の中には、多孔質構造体２に充填された充填材４だけでなく、多孔質構造体自体（即ち繊維やネット、テープ等の固体部分）も含まれる。
【００２５】
固相率（Ｓ）は、次式で表される。
（式）　Ｓ＝Ｖｓ／（Ａ・ｔ）＋（１−ｎｃ）
つまり、植栽基盤シート・マットの固相率Ｓは、植栽基盤シート・マット中の充填材の固相率Ｖｓ／（Ａ・ｔ）と、多孔質構造体の固相率（１−ｎｃ）の和である。
【００２６】
ここで、Ａは植栽基盤シート・マット１の面積（例えば１ｍ２）、ｔは植栽基盤シート・マット１の厚さ、Ｖｓは植栽基盤シート・マット（厚さｔ、面積Ａ）に含まれる充填材４の粒子の体積、ｎｃは多孔質構造体２の空隙率を表す。
因みに、上記式のｔやｎｃは用いられる多孔質構造体の構造から決まる値であり、Ａは任意に決め得る値である。
【００２７】
実際には、目標とする固相率Ｓ（例えば固相率が８０％ならＳ＝０．８）を設定し、上記式から充填材４の粒子の体積Ｖｓを計算する。
そして、この計算値Ｖｓをもとに、充填材の乾燥密度や比重等から実際に充填されるべき充填材の体積（又は重量）を決めるのである。
【００２８】
固相率が８０％以下とは、即ち、充填材４や多孔質構造体２が占める割合が８０％以下という意味であり、別の言い方をすれば、気相及び液相の割合が２０％以上ということである。
つまり、後で実施例に示すように、充填材を充填した植栽基盤シート・マットにこの程度（２０％以上）の空気（又は水）を含んでいないと、植物の根が十分に酸素を取り込めず根付きが悪くなり、地下茎も伸びないのである。
【００２９】
参考までに言えば、従来のシート・マットで芝などの植物が必ずしも十分に根付かなかったのは、泥状の土砂をシート・マットの空隙部に密に充填したため、必要量の空気（酸素）を土壌中に含ませることができなかったためと考えられる。
または、あまりに密に充填したため、植物の根や地下茎が、シート・マットに充填した土砂の中に進入できなかったことも考えられる。
【００３０】
従って、本発明においても、固相率が８０％以下であっても、図２に示すように、充填材４が偏在して、多孔質構造体２の下方に密に詰まった状態になってしまうと、充填材４が十分に空気を含んだ状態にはならないため、好ましくない。
そこで、図１に示したような充填材４の粒と粒の間に十分な空間が確保された状態になるように、充填材４を粒径調整したうえで多孔質構造体２に充填するのである。
【００３１】
このように粒径調整された充填材４の粒は、多孔質構造体２に的確に把持された状態となり、充填材４が水分を含んだり粒子間に植物の根が進入してきても、充填材４の粒が細かく砕けることは殆どない。
そのため、植栽基盤シート・マット１の内部は、充填材４の粒と粒の間に十分な空間が存在する状態（図１参照）を保つことができ、しかも固相率が８０％以下という良好な状態であり続けることができるのである。
【００３２】
この際、粒径調整は篩などを用いた通常採用される方法で行えばよく、充填材の粒径は多孔質構造体の空隙部の大きさ（目合）に合わせて適宜決められる。
また、充填材は、上記のように充填された際に粒子間に十分な空間が確保される限り、乾燥状態、湿潤状態、又は飽和状態のいずれの状態で充填されてもよく特に限定されない。
【００３３】
実際の施工に即して言えば、まず法面等に多孔質構造体を敷設して固定金具等で固定した後、前もって又は施工現場で粒径調整した充填材を、多孔質構造体の上に巻き出し、振動加圧機等で振動を加えて充填する。
そして、こうして形成された植栽基盤シート・マットに、直接種子をまいたり、或いは苗床から移植したりして植物を植生させるのである。
【００３４】
多孔質構造体は、従来と同様に、天然繊維や合成繊維を糸状に形成して絡ませたり、ネット状やテープ状に形成されたものが採用される。
例えば、本発明者らが以前提案した施工・撤去可能で緑化可能な、いわゆるヘチマ構造の侵食防止シート・マット（特開２００１−２３４５４０号公報参照）を用いれば、製造費用が安く、強度、柔軟性、及び耐久性ともに優れた多孔質構造体を得ることができる（図３参照）。
【００３５】
熱可塑性樹脂の原料は、ポリエチレン、ポリプロピレン、エチレン−酢酸ビニル共重合体などのオレフィン系樹脂、ポリ塩化ビニル、塩化ビニルを主成分とする共重合体などの塩化ビニル系樹脂、ポリ塩化ビニリデン、塩化ビニリデンを主成分とする共重合体などの塩化ビニリデン系樹脂、ポリエチレンテレフタレート、ポリブチレンテレフタレートなどのポリエステル系樹脂、ポリアミド６、ポリアミド６・６、ポリアミドＭＸＤなどのポリアミド系樹脂、ポリカーボネート、ポリメチルメタクリレートなどのアクリル系樹脂、スチレン・ブタジエン系熱可塑性エラストマー、エチレン・プロピレン系熱可塑性エラストマー、ポリエステル系熱可塑性エラストマー、ポリアミド系熱可塑性エラストマーなどが挙げられる。
【００３６】
また、天然繊維でもよく、更に上記化学繊維と天然繊維とを組み合わせたものも当然採用可能である。
更に、耐光性や耐候性、弾力性、剛性等を向上させるために、例えばカーボンブラック等で着色したり、種々の添加剤を適宜加えることも当然可能である。
【００３７】
充填材は、土砂や肥料、炭片を例示したが、木片や瓦礫、高分子ポリマーなども、本発明の目的に沿うものであれば、充填材として適宜採用可能である。
また、充填材に、各種土壌改良材等を混入させることも当然可能である。
【００３８】
植生される植物は、本発明の植栽基盤シート・マットが使用される目的により適宜選択される。
例えば、芝は造成地や河川堤防の法面等の緑化に適し、また河川堤防の流水面付近の法面に、葦などを植生させることも当然可能である。
【００３９】
さて、本発明の植栽基盤シート・マットは、先述したように、施工現場において、法面等に多孔質構造体を敷設し土砂等の充填材を充填して形成することができる。
しかし、予め多孔質構造体に充填材を充填し植物を植生させて植栽基盤シート・マット（以下苗床型植栽基盤シート・マットという）を形成しておき、施工の際に、それを施工現場に搬送して敷設することも可能である。
【００４０】
図４は、例として芝を植生させて形成した苗床型植栽基盤シート・マットを概略的に説明する断面図である（簡単のため多孔質構造体自体を省略した）。
この場合、多孔質構造体２に固相率が８０％以下になるように粒径調整した充填材４を充填し、それにコウライシバ等の芝５を植生させて苗床型植栽基盤シート・マット１を形成する。
【００４１】
この際、苗床型植栽基盤シート・マット１（又は多孔質構造体２）を２、３ｃｍ程度の厚さにすれば、図のように芝の地下茎５ａ（匍匐茎）が主に多孔質構造体２の内部を通るように成長させることができる。
しかし、厚さがそれ以下であっても、地下茎５ａが苗床型植栽基盤シート・マットの裏面を這うように成長するので別段支障はない。
【００４２】
以上のように、植栽基盤シート・マットを苗床として予め芝などの植物を十分に根付かせておけば、敷設後に種子をまくなどして植生させる場合に比べ、植物が根付く確率を格段に向上させることができる。
しかも、このように芝などの植物を植生させた苗床型植栽基盤シート・マットは、図５に模式的に示すように、ロール状に丸めて搬送することができる。
【００４３】
次に、本発明の植栽基盤シート・マットを用いた斜面保護方法及び張芝方法について述べる。
先述したように、本発明の植栽基盤シート・マットは、造成地や河川堤防の法面等の斜面に、多孔質構造体を敷設して固定金具等で固定した後、充填材を多孔質構造体の上に巻出し、振動を加えて充填して用いられる（斜面保護方法）。
【００４４】
また、例えば、平坦な地面に対しても同様に用いることができる（張芝方法）。
因みに、斜面保護方法においても張芝方法においても、粒径調整した充填材を固相率が８０％以下になるように充填することは言うまでもない。
【００４５】
一方、上記のどちらの方法においても、上記の苗床型植栽基盤シート・マットを、斜面や平坦な地面に敷設して行うことも当然可能である。
この苗床型植栽基盤シート・マットを用いた斜面保護方法や張芝方法は、苗床型植栽基盤シート・マットがロール状に丸めて搬送できるうえ、対象面に敷設して固定金具等で固定するだけなので、結果的に作業が非常に簡単になり好ましい。
【００４６】
また、特に、苗床型植栽基盤シート・マットを用いる斜面保護方法は、河川堤防や造成地の盛土の法面等（斜面）が急勾配である場合に、特に効果的である。
先述したように、従来の方法では斜面にシート・マットを敷設して泥状の土砂を充填するため、斜面が急勾配だと土砂が下方に流れてシート・マットから漏れ出てしまう場合がある。
【００４７】
しかし、本発明の苗床型植栽基盤シート・マットを用いれば、先述したように粒径調整された充填材の粒が、多孔質構造体の固形要素や植物の根などに的確に保持されているため、従来例のように充填材がシート・マットから漏れ出るような事態は生じ得ない。
【００４８】
また、従来のシート・マットでは保護が難しかった急峻な岩盤であっても、苗床型植栽基盤シート・マットを用いることにより、同様に、容易に保護でき緑化し得ることは、図６より明らかであろう。
因みに、多孔質構造体を敷設した後、粒径調整した充填材を充填する本発明の斜面保護方法でも、こうした急峻な岩盤を十分に保護し得ることは言うまでもない。
【００４９】
一方、本発明の植栽基盤シート・マット（又は苗床型植栽基盤シート・マット）を、平坦な地面の緑化に使用することもできる。
特に、苗床型植栽基盤シート・マットを用いれば、例えば芝が十分に地下茎を伸ばし根を張っているため、芝を踏みつけてもめくれ上がる事態は生じないのである。
【００５０】
さて、本発明の植栽基盤シート・マットは、複数の植栽基盤シート・マットを突合せ状態に敷設すると、互いに植物の根などが結び付き１枚のシート状になるという特色をも有する。
これは、苗床型植栽基盤シート・マットを敷設した場合でも、多孔質構造体を敷設した後充填材を充填し植物を植生させた場合でも、同様に上記のような状態にすることができる。
【００５１】
図７は、その状態を模式的に説明する図である（簡単のため多孔質構造体自体や充填材は省略した）。
植栽基盤シート・マット１を突合せ状態に敷設すると、一方の植栽基盤シート・マット１に植生させた植物（例えば芝５）の茎や根が突合せ部８を越えて、容易に他方の植栽基盤シート・マットに入り込む。
【００５２】
そして、他の植栽基盤シート・マットの多孔質構造体や他の植物の茎又は根に絡み付くことにより、２枚の植栽基盤シート・マットが堅固に結び付けられるのである。
このように、本発明の植栽基盤シート・マット（苗床型を含む）は、複数の植栽基盤シート・マットを突合せ状態に敷設すれば、上記のようにして互いに堅固に結び付き、あたかも１枚のシート状に緑化することができる。
【００５３】
因みに、複数の植栽基盤シート・マットを重ね合わせ状態にすると、１つの植栽基盤シート・マットの植物の茎又は根が重ね合わせ部を越えて他の植栽基盤シート・マットに進入する。
そして他の植栽基盤シート・マットの多孔質構造体や他の植物の茎又は根に絡み付くことで該複数の植栽基盤シート・マットが１枚のシート状になる。
【００５４】
【実施例】
以下、主に固相率に注目して行った実施例について述べる。
尚、本発明がこれらの実施例に限定されるものでないことは言うまでもない。
実験は、多孔質構造体への土砂の充填率等を種々に変えた以下の実験条件で、コウライシバを移植し、その根付き等を比較した。
【００５５】
〔実験条件〕
多孔質構造体：先述したヘチマ構造の侵食防止シート・マット（特開２００１−２３４５４０号公報参照）〔ポリプロピレン製、構成繊維の径０．６８ｍｍ、厚さ３０ｍｍ、面積１ｍ×１ｍ、多孔質構造体の固相率（１−ｎｃ）は７．５５％〕
充填材（土砂）：砂質土〔細粒分（粘土及びシルト）含有率１５〜５０％、粒径調整をする場合には粒径は４．７５ｍｍ以下〕
【００５６】
充填方法：上記多孔質構造体に、粒径調整した湿潤状態の土砂を、多孔質構造体自体の固相率（１−ｎｃ）を含めた全体の固相率Ｓが５０％（実施例１）、６０％（実施例２）、７０％（実施例３）、８０％（実施例４）、９０％（比較例１）となるように、多孔質構造体上に巻き出し、必要があれは振動加圧機を用いて振動を加えて充填した。
【００５７】
また、粒径調整したままでは固相率Ｓを１００％とすることができなかったので、土砂に水を加えて一旦泥状にし、多孔質構造体に圧送して振動加圧機で振動を加えて充填した植栽基盤シート・マットを作成した（比較例２）。
更に、同様に水を加えて泥状にした土砂を、固相率Ｓが７０％になるように充填し、振動を加えて土砂が多孔質構造体の下方にのみ充填された植栽基盤シート・マットを作成した（比較例３、図２参照）。
【００５８】
尚、各植栽基盤シート・マットの固相率Ｓを確認するため、土砂を充填した後、各植栽基盤シート・マットの隅の部分を直径１００ｍｍの円形に切り抜き、水中に投下して水の体積変化から実際の固相率Ｓを計算した。
その結果は、実験結果とともに表１に示す。
【００５９】
〔実験方法〕
上記のように作成した各植栽基盤シート・マットの表面中央部に、３００ｍｍ×３００ｍｍのコウライシバを直に移植し、３か月間（４月初〜６月末）、芝刈りや除草、施肥等の作業を適宜行い、芝の成長の状況（広がり具合）を観察した。
移植後３か月経った時点で、各植栽基盤シート・マットの表面中央部付近を直径１００ｍｍの円形に切り抜き、芝根の活着状況を目視にて観察した。
また、芝の葉を引っ張って芝根の抵抗力を確認した。
【００６０】
〔実験結果及び評価〕
実験結果を表１に示す。
ここで、上記成長の状況については、
○　非常によい
△　あまり広がらない
×　ほとんど広がらず弱々しい
また、芝根の活着状況については、地下茎の伸び具合が、
○　非常によい（広く太く伸びている）
△　多少広がるが短く弱々しい
×　ほとんど広がらない
注　多少広がってはいるが、多孔質構造体の上方の空隙部にのみ広がり、下方の土砂の中にはほとんど入り込んでいない。
【００６１】
根の伸び具合が、
○　非常によい（土砂にしっかり入り込んでいる）
△　多少生えるが弱々しい
×　ほとんど生えない
更に、引っ張りに対する抵抗力については、
○　非常に抵抗感があり葉が抜けるだけ
△　若干抵抗感はあるが、地下茎や根ごと引き抜かれる
×　抵抗感なく地下茎や根ごと引き抜かれる
のように評価した。
【００６２】
【表１】
2004089038.tif 000003
【００６３】
このように、実施例１〜実施例４（固相率が８０％以下）では、コウライシバは、多孔質構造体に充填した土砂中に地下茎や根を伸ばし、葉の色も濃く、当初の３００ｍｍ×３００ｍｍから大きく広がって成長した。
それに対し、比較例１（固相率９０％）では地下茎や根の成長が悪く、葉の色もあまりよくない。
【００６４】
また、比較例２（固相率１００％）では、ほとんど地下茎の成長が見られず、葉が黄色になりほとんど枯れた状態となった。
更に、比較例３では、地下茎が多孔質構造体中の土砂が密に充填されていない上方の空隙部に若干伸び、根も生えていたが、下方の土砂中には入り込んでいなかった。
【００６５】
以上の実験結果は、先述した考察、即ち、充填材を充填した植栽基盤シート・マットが２０％以上の空気や水を含んでいないと、植物の根が十分に酸素を取り込むことができず、根付きが悪くなり、地下茎も伸びないという考察を裏付けるものである。
【００６６】
芝の活着が悪いのは、固相率があまりに高過ぎる（９０％以上）と、充填材中の空隙が非常に小さくなり、地下茎や根が伸びるためのスペースが少な過ぎるからであるということも考えられる。
いずれにせよ、上記実験結果から、多孔質構造体に充填する充填材は、固相率が８０％以下であることが望ましいことが分かる。
【００６７】
【発明の効果】
本発明によれば、固相率が８０％以下になるように多孔質構造体の空隙部に粒径調整した充填材を充填して植栽基盤シート・マットを形成することで、充填材に十分空気を含ませることができ、法面や平坦な地面において芝などの植物を確実に植生させることができる。
また、このような植栽基盤シート・マットを形成することにより、造成地や河川堤防の法面等の斜面を確実に保護することができ、平坦な地面や岩盤の緑化を確実に行うことができる。
【図面の簡単な説明】
【図１】図１は、本発明の植栽基盤シート・マットの構成例を模式的に説明する図である。
【図２】図２は、充填材が多孔質構造体の下方に密に詰まった状態を説明する模式図である。
【図３】図３は、熱可塑性樹脂を糸状にして絡ませたヘチマ構造の多孔質構造体の構成例を示す図である。
【図４】図４は、芝を植生させて形成した苗床型植栽基盤シート・マットを概略的に説明する断面図である。
【図５】図５は、搬送のために芝を植生させた植栽基盤シート・マットを丸めた状態を模式的に示す図である。
【図６】図６は、岩盤に本発明の植栽基盤シート・マットを敷設し固定した状態を説明する模式図である。
【図７】図７は、植物の地下茎や根が突合せ部を越えて他の植栽基盤シート・マットに進入する状態を模式的に説明する図である。
【符号の説明】
１…（苗床型）植栽基盤シート・マット
２…多孔質構造体
３…空隙部
４…充填材
５…芝
５ａ…地下茎
５ｂ…根
６…岩盤
７…固定金具
８…突合せ部
【図１】
2004089038.tif 000004
【図２】
2004089038.tif 000005
【図３】
2004089038.tif 000006
【図４】
2004089038.tif 000007
【図５】
2004089038.tif 000008
【図６】
2004089038.tif 000009
【図７】
2004089038.tif 000010